(57)【要約】【課題】現在使用されている形の決ったパッドや靴の下敷についている形の決ったパッドは、個々人の土踏まずの形状に合い難く、所期の効果が出てない問題があった。【解決手段】粒状の詰物１（市販のプラスチック製手芸用ペレット）を袋２に入れ使用し個人差のある土踏まず形状に合せ易くした。その量は約１５０〜３００粒であり、これを入れる袋２は晒しの木綿で作り、上記詰物１を入れた後縫い合わせ入口を閉じる。ずれ防止具３は市販の片面が接着材、裏面がザラザラになっているテープを使用し、パッドに貼り付けザラザラ面を靴下の土踏まず部に取り付け靴をはく。【選択図】図１
0003114974.tif 000002
【実用新案登録請求の範囲】
【請求項１】
足の痙攣を防止するパッドは、小さい粒状の詰物１、それを入れる袋２、靴下とのずれ防止具３より構成され、粒状の詰物１はプラスチック製のペレット状の物で、その寸法は径と長さが約２〜５ｍｍの範囲、その量は人間の足の土踏まずと靴底で作られる容積に概略相当し、袋２は布製でその入口を閉じた時作れる内容積は少なくとも前記詰物がその中で十分動き土踏まず形状に合わせ得るのに十分な大きさであり、ずれ防止具３は一面で袋に接着可能でその裏面にザラザラ面のあるテープであり、適当な寸法に切断し袋２の中央部に接着する事を特徴とする。
【請求項２】
前記請求項１における詰物１はプラスチック製の市販品“手芸用ペレット”であり、その量は１５０〜３００粒である事を特徴とする。
【請求項３】
前記請求項１における袋２は布製、特に晒しの木綿製であり、土踏まずの奥の方に当る所は二箇所一辺約１０ｍｍの三角形に角を落とし、巾は約３５ｍｍで長さを調整し、請求項２の詰物量の２〜３倍を詰め得る内容積を持つ事を特徴とする。
【考案の詳細な説明】
【技術分野】
【０００１】本考案は、靴底又は靴敷と足の土踏まずの間に入れるパッドに関する。
【背景技術】
【０００２】運動や歩行中に疲労し足が痙攣（いわゆる足の攣り）するのを防止するため、現在軟膏を筋肉に塗ったり、下敷に土踏まずに当る形の決ったパッドや同様のパッドの付いている靴を使用している。
【考案の開示】
【考案が解決しようとする課題】
【０００３】現在使用されている形の決ったパッドや靴の下敷についている形の決ったパッド状の物は、個々人の土踏まずの形状に合い難く、所期の効果が出てない問題があった。
【課題を解決するための手段】
【０００４】パッドの詰物に粒状の物を使用し袋に入れ、その形状を自在に変え得るよう作る事により、個々人の異なった土踏まず形状に容易に合わせ得る構造にした。
【考案の効果】
【０００５】パッドの形が決っていないため、個々人の異なった土踏まず形状にフィットでき、更に粒状物質の土踏まずへの刺激と相俟って足の疲れを軽減が可能になる。
【考案を実施するための最良の形態】
【０００６】布で小さな袋を作り、その中に靴底と土踏まずの間に出来る空間に相当する量の小さなペレットを入れ、入口を縫い合わせ、ザラザラ面のあるテープを使用し、靴下とのズレ止めをする。
【実施例】
【０００７】添付図面により実施例を説明する。粒状の詰物１はプラスチック製“手芸用ペレット（京浜化成製、ポリエチレン）”であり、２００粒使用した。これを入れる袋２は図１に示すような寸法の袋を晒しの木綿で作り、上記詰物１を入れた後縫い合わせ入口を閉じる。尚、その袋に詰め得るペレットの最大量は約４８０粒である。ずれ防止具３は市販の３Ｍ社の“布パーテーション用テープ”であり、接着材のある面を図１の位置に貼り付け使用する。使用に当っては、テープのザラザラ面をはいた靴下の土踏まず部に取付け靴をはく。
図２に示すように適当な長さのゴムひもを袋両側に取付け、足の甲にかけズレ止めする事も可能である。尚、この例はゴムひも巾６ｍｍ、長さ２００ｍｍ、縫い合せ部分５ｍｍである。
【図面の簡単な説明】
【０００８】
【図１】接着可能なテープでズレ止めする
【図２】ゴムひもを使ってズレ止めをする
【図１】
0003114974.tif 000003
【図２】
0003114974.tif 000004
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
小さい粒状の詰物１、それを入れる袋２、靴下と袋２とのずれ防止具３より構成される足の痙攣を防止するパッドにおいて、粒状の詰物１はプラスチック製ペレット状の物で、その寸法は径と長さが約２〜５ｍｍの範囲、その量は人間の足の土踏まずと靴底で作られる容積に概略相当し、袋２は布製でその入口を閉じた時作れる内容積は少なくとも前記詰物１がその中で十分動き土踏まず形状に合わせ得るのに十分な大きさであり、ずれ防止具３は一面で袋に接着可能でその裏面にザラザラ面のあるテープであり、適当な寸法に切断し袋２の中央部に接着する事を特徴とする足の痙攣を防止するパッド。
【請求項２】
プラスチック製の詰物１の使用量が１５０〜３００粒である事を特徴とする請求項１記載の足の痙攣を防止するパッド。
【請求項３】
袋２は布製、特に晒しの木綿製であり、土踏まずの奥の方に当る所は二箇所一辺約１０ｍｍの三角形に角を落とし、巾は約３５ｍｍで長さを調整しその容積を変え、請求項１の詰物量の２〜３倍を詰め得る内容積を持つ事を特徴とする請求項１記載の足の痙攣を防止するパッド。
【手続補正２】
【補正対象書類名】明細書
【補正対象項目名】全文
【補正方法】変更
【補正の内容】
【考案の詳細な説明】
【技術分野】
【０００１】本考案は、靴底又は靴敷と足の土踏まずの間に入れるパッドに関する。
【背景技術】
【０００２】運動や歩行中に疲労し足が痙攣（いわゆる足の攣り）するのを防止するため、現在軟膏を筋肉に塗ったり、下敷に土踏まずに当る形の決ったパッドや同様のパッドの付いている靴を使用している。
【考案の開示】
【考案が解決しようとする課題】
【０００３】現在使用されている形の決ったパッドや靴の下敷についている形の決ったパッド状の物は、個々人の土踏まずの形状に合い難く、所期の効果が出てない問題があった。
【課題を解決するための手段】
【０００４】パッドの詰物に粒状の物を使用し袋に入れ、その形状を自在に変え得るよう作る事により、個々人の異なった土踏まず形状に容易に合わせ得る構造にした。
【考案の効果】
【０００５】パッドの形が決っていないため、個々人の異なった土踏まず形状にフィットでき、更に粒状物質の土踏まずへの刺激と相俟って足の疲れを軽減が可能になる。
【考案を実施するための最良の形態】
【０００６】布で小さな袋を作り、その中に靴底と土踏まずの間に出来る空間に相当する量の小さなペレットを入れ、入口を縫い合わせ、ザラザラ面のあるテープを使用し、靴下とのズレ止めをする。
【実施例】
【０００７】添付図面により実施例を説明する。粒状の詰物１はプラスチック製“手芸用ペレット（京浜化成製、ポリエチレン）”であり、２００粒使用した。これを入れる袋２は図１に示すような寸法の袋を晒しの木綿で作り、上記詰物１を入れた後縫い合わせ入口を閉じる。尚、その袋に詰め得るペレットの最大量は約４８０粒である。ずれ防止具３は市販の３Ｍ社の“布パーテーション用テープ”であり、接着材のある面を図１の位置に貼り付け使用する。使用に当っては、テープのザラザラ面をはいた靴下の土踏まず部に取付け靴をはく。
図２に示すように適当な長さのゴムひもを袋両側に取付け、足の甲にかけズレ止めする事も可能である。尚、この例はゴムひも巾６ｍｍ、長さ約２００ｍｍ、縫い合せ部分５ｍｍである。
【図面の簡単な説明】
【０００８】
【図１】接着可能なテープでズレ止めする
【図２】ゴムひもを使ってズレ止めをする
【手続補正３】
【補正対象書類名】図面
【補正対象項目名】全図
【補正方法】変更
【補正の内容】
【図１】
0003114974.tif 000005
【図２】
0003114974.tif 000006